(57)【要約】【課題】本発明は缶蓋収集缶切りを開示した。【解決手段】スタンドを含み、前記スタンドの中には上方に開口したスライドチャンバが設けられ、前記スライドチャンバの中にはスライド円環がスライドできるように設けられ、前記スライド円環と前記スライドチャンバの底面とには第一バネが固定的に連結され、前記スライドチャンバの中にはスタンド挟み装置が設けられ、本発明の缶蓋収集缶切りは操作が簡単で明白で、安全で信頼でき、効率が高く、切りが精確であり、同時に、本発明の装置はシンプルで上品であり、様々な場合に対応でき、実用性が強い。【選択図】図１
2020175953.tif 000002
【特許請求の範囲】
【請求項１】
正面視で、スタンドを含み、前記スタンドの中には上方に開口したスライドチャンバが設けられ、前記スライドチャンバの中にはスライド円環がスライドできるように設けられ、前記スライド円環と前記スライドチャンバの底面とには第一バネが固定的に連結され、前記スライドチャンバの中にはスタンド挟み装置が設けられ、前記スライド円環の頂端に本体を取り付けることができ、前記本体の中には下方に開口した円柱空きチャンバが設けられ、前記円柱空きチャンバの頂端に上蓋吸着装置を取り付けることができ、前記円柱空きチャンバの外側には回転チャンバが連通するように設けられ、前記回転チャンバの中には第一回転円環が回転できるように設けられ、前記第一回転円環の環の中には第一回転軸が回転できるように設けられ、前記第一回転軸には固定ブロックが固定的に設けられ、前記固定ブロックの左端には矩形磁石が設けられ、前記矩形磁石が前記第一回転軸に固定されており、前記固定ブロックの中には第一スライド溝が設けられ、前記第一スライド溝には第一スライドブロックが左右に対称的にスライドできるように設けられ、前記第一スライドブロックの一側と前記第一スライド溝の端面との間には第二バネが固定的に連結され、前記第一スライドブロックのもう一端には電磁石が固定的に設けられ、前記固定ブロックの外表面には環状接触点が設けられ、前記環状接触点と前記電磁石とが接触しており、左側の前記第一スライド溝には下方に開口した第一連通溝が設けられ、右側の前記第一スライド溝には上方に開口した第二連通溝が設けられ、前記第一連通溝の中には前記第一スライドブロックと固定された第一刃がスライドできるように設けられ、前記第二連通溝の中には前記第一スライドブロックと固定された第二刃がスライドできるように設けられ、前記回転チャンバの外側には環状空きチャンバが連通するように設けられ、前記環状空きチャンバには第二回転軸が左右に対称的に回転できるように設けられ、前記第二回転軸には歯車が固定的に設けられ、前記環状空きチャンバの外側には第二回転円環が回転できるように設けられ、前記第二回転円環が前記本体の外側まで突き出ており、前記第二回転円環と前記第一回転円環との間には回転切り装置が設けられ、
これにより、第二回転円環を回し、刃に缶蓋を切らせ、円形磁石が切られた後の缶蓋を吸引し収集することを特徴とする缶蓋収集缶切り。
【請求項２】
前記第一回転円環の外表面には環状リングギヤが固定的に設けられ、前記環状リングギヤと前記歯車とが噛合しており、前記第二回転円環の内側にはリングギヤが設けられ、前記リングギヤと前記歯車とが噛合しており、前記第一回転円環の外周には環状通電溝が設けられ、前記本体の右側には第一電線が設けられ、前記第一電線と前記環状通電溝とが接触しており、前記環状接触点と前記環状通電溝との間には第二電線が連結され、
これにより、電磁石を始動した後に手動で第二回転円環を回し、第二回転円環が歯車により第一回転円環を回転連動させ、刃に缶蓋を切らせることを特徴とする請求項１に記載の缶蓋収集缶切り。
【請求項３】
前記回転チャンバには第一環状磁性リングが上下に対称的に設けられ、前記第一環状磁性リングと前記矩形磁石とが引き合い、頂端の前記第一環状磁性リングの左側には仕切り板が固定的に設けられ、前記固定ブロックの外表面には第二環状磁性リングが左右に対称的に設けられ、前記本体の頂端には内ネジ山が設けられ、前記内ネジ山の外には外ネジ山によって頂蓋を取り付けることができ、前記頂蓋が前記円柱空きチャンバの中に伸びており、前記リングギヤの底面には円形磁石が固定的に設けられ、前記円形磁石の磁力は前記第二環状磁性リングの磁力より大きく、
これにより、第二回転円環が一周に回転した後、矩形磁石が仕切り板と接触して回転し、切られた後の缶蓋が半周に回転した後に円形磁石に吸着されて収集されることを特徴とする請求項１に記載の缶蓋収集缶切り。
【請求項４】
前記スタンド挟み装置は前記スライドチャンバを含み、前記スライドチャンバの底端には第二スライド溝が連通するように設けられ、前記第二スライド溝の中には第二スライドブロックが左右に対称的に、且つスライド可能に設けられ、前記第二スライドブロックと前記第二スライド溝の端面との間には第三バネが固定的に連結され、
これにより、第二スライドブロックを回し、缶詰を第二スライド溝の中に置いて挟み、そして本体をスライド円環の上端までスライドさせることを特徴とする請求項１に記載の缶蓋収集缶切り。
【発明の詳細な説明】
【技術分野】
【０００１】
本発明は生活用具分野を取り上げて、具体的には缶蓋収集缶切りである。
【背景技術】
【０００２】
伝統的な缶切りは重くて使いにくく、手動で操作する時に手が直接に刃に近距離に接触する場合が多いため、傷つけられやすく、また一般的な自動缶切りは直接に缶詰の上部を切り、缶詰のカール部がなくなり、切られた缶詰も同じく手を傷つける危険性を持っており、また、切られた缶蓋は薄くて鋭く、缶蓋の材質は回収し利用する価値があり、従って、缶蓋収集缶切りを設計し上記の問題を解決する必要がある。
【先行技術文献】
【特許文献】
【０００３】
【特許文献１】中国特許出願公開第106672875号明細書
【発明の概要】
【発明が解決しようとする課題】
【０００４】
本発明の目的は缶蓋収集缶切りを提供し、それは上記の現在の技術中の問題を解決できる。
【課題を解決するための手段】
【０００５】
本発明は以下の技術プランを通じて実現する：本発明の缶蓋収集缶切りは、スタンドを含み、前記スタンドの中には上方に開口したスライドチャンバが設けられ、前記スライドチャンバの中にはスライド円環がスライドできるように設けられ、前記スライド円環と前記スライドチャンバの底面とには第一バネが固定的に連結され、前記スライドチャンバの中にはスタンド挟み装置が設けられ、前記スライド円環の頂端に本体を取り付けることができ、前記本体の中には下方に開口した円柱空きチャンバが設けられ、前記円柱空きチャンバの頂端に上蓋吸着装置を取り付けることができ、前記円柱空きチャンバの外側には回転チャンバが連通するように設けられ、前記回転チャンバの中には第一回転円環が回転できるように設けられ、前記第一回転円環の環の中には第一回転軸が回転できるように設けられ、前記第一回転軸には固定ブロックが固定的に設けられ、前記固定ブロックの左端には矩形磁石が設けられ、前記矩形磁石が前記第一回転軸に固定されており、前記固定ブロックの中には第一スライド溝が設けられ、前記第一スライド溝には第一スライドブロックが左右に対称的にスライドできるように設けられ、前記第一スライドブロックの一側と前記第一スライド溝の端面との間には第二バネが固定的に連結され、前記第一スライドブロックのもう一端には電磁石が固定的に設けられ、前記固定ブロックの外表面には環状接触点が設けられ、前記環状接触点と前記電磁石とが接触しており、左側の前記第一スライド溝には下方に開口した第一連通溝が設けられ、右側の前記第一スライド溝には上方に開口した第二連通溝が設けられ、前記第一連通溝の中には前記第一スライドブロックと固定された第一刃がスライドできるように設けられ、前記第二連通溝の中には前記第一スライドブロックと固定された第二刃がスライドできるように設けられ、前記回転チャンバの外側には環状空きチャンバが連通するように設けられ、前記環状空きチャンバには第二回転軸が左右に対称的に回転できるように設けられ、前記第二回転軸には歯車が固定的に設けられ、前記環状空きチャンバの外側には第二回転円環が回転できるように設けられ、前記第二回転円環が前記本体の外側まで突き出ており、前記第二回転円環と前記第一回転円環との間には回転切り装置が設けられている。
【０００６】
前記第一回転円環の外表面には環状リングギヤが固定的に設けられ、前記環状リングギヤと前記歯車とが噛合しており、前記第二回転円環の内側にはリングギヤが設けられ、前記リングギヤと前記歯車とが噛合しており、前記第一回転円環の外周には環状通電溝が設けられ、前記本体の右側には第一電線が設けられ、前記第一電線と前記環状通電溝とが接触しており、前記環状接触点と前記環状通電溝との間には第二電線が連結されている。
【０００７】
前記回転チャンバには第一環状磁性リングが上下に対称的に設けられ、前記第一環状磁性リングと前記矩形磁石とが引き合い、頂端の前記第一環状磁性リングの左側には仕切り板が固定的に設けられ、前記固定ブロックの外表面には第二環状磁性リングが左右に対称的に設けられ、前記本体の頂端には内ネジ山が設けられ、前記内ネジ山の外には外ネジ山によって頂蓋を取り付けることができ、前記頂蓋が前記円柱空きチャンバの中に伸びており、前記リングギヤの底面には円形磁石が固定的に設けられ、前記円形磁石の磁力は前記第二環状磁性リングの磁力より大きい。
【０００８】
有益的には、図に示したように、前記スタンド挟み装置は前記スライドチャンバを含み、前記スライドチャンバの底端には第二スライド溝が連通するように設けられ、前記第二スライド溝の中には第二スライドブロックが左右に対称的に、且つスライド可能に設けられ、前記第二スライドブロックと前記第二スライド溝の端面との間には第三バネが固定的に連結されている。
【発明の効果】
【０００９】
本発明の缶蓋収集缶切りは操作が簡単で明白で、安全で信頼でき、効率が高く、切りが精確であり、同時に、本発明の装置はシンプルで上品であり、様々な場合に対応でき、実用性が強い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の缶蓋収集缶切りの全体構成略図
【図２】図２は図１のＡ―Ａの拡大構成略図
【図３】図３は図１のＢの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３に示すように、本発明の缶蓋収集缶切りは、スタンド１９を含み、前記スタンド１９の中には上方に開口したスライドチャンバ２２が設けられ、前記スライドチャンバ２２の中にはスライド円環２０がスライドできるように設けられ、前記スライド円環２０と前記スライドチャンバ２２の底面とには第一バネ２１が固定的に連結され、前記スライドチャンバ２２の中にはスタンド挟み装置９０が設けられ、前記スライド円環２０の頂端に本体１０を取り付けることができ、前記本体１０の中には下方に開口した円柱空きチャンバ１１が設けられ、前記円柱空きチャンバ１１の頂端に上蓋吸着装置９１を取り付けることができ、前記円柱空きチャンバ１１の外側には回転チャンバ２６が連通するように設けられ、前記回転チャンバ２６の中には第一回転円環１８が回転できるように設けられ、前記第一回転円環１８の環の中には第一回転軸３９が回転できるように設けられ、前記第一回転軸３９には固定ブロック３７が固定的に設けられ、前記固定ブロック３７の左端には矩形磁石３８が設けられ、前記矩形磁石３８が前記第一回転軸３９に固定されており、前記固定ブロック３７の中には第一スライド溝４１が設けられ、前記第一スライド溝４１には第一スライドブロック４２が左右に対称的にスライドできるように設けられ、前記第一スライドブロック４２の一側と前記第一スライド溝４１の端面との間には第二バネ４０が固定的に連結され、前記第一スライドブロック４２のもう一端には電磁石４５が固定的に設けられ、前記固定ブロック３７の外表面には環状接触点４６が設けられ、前記環状接触点４６と前記電磁石４５とが接触しており、左側の前記第一スライド溝４１には下方に開口した第一連通溝４３が設けられ、右側の前記第一スライド溝４１には上方に開口した第二連通溝２８が設けられ、前記第一連通溝４３の中には前記第一スライドブロック４２と固定された第一刃４４がスライドできるように設けられ、前記第二連通溝２８の中には前記第一スライドブロック４２と固定された第二刃２７がスライドできるように設けられ、前記回転チャンバ２６の外側には環状空きチャンバ１３が連通するように設けられ、前記環状空きチャンバ１３には第二回転軸１２が左右に対称的に回転できるように設けられ、前記第二回転軸１２には歯車１６が固定的に設けられ、前記環状空きチャンバ１３の外側には第二回転円環１４が回転できるように設けられ、前記第二回転円環１４が前記本体１０の外側まで突き出ており、前記第二回転円環１４と前記第一回転円環１８との間には回転切り装置９２が設けられている。
【００１４】
以下、前記回転切り装置９２を実現する具体的な実現方式を説明し、前記第一回転円環１８の外表面には環状リングギヤ１７が固定的に設けられ、前記環状リングギヤ１７と前記歯車１６とが噛合しており、前記第二回転円環１４の内側にはリングギヤ１５が設けられ、前記リングギヤ１５と前記歯車１６とが噛合しており、前記第一回転円環１８の外周には環状通電溝３０が設けられ、前記本体１０の右側には第一電線３１が設けられ、前記第一電線３１と前記環状通電溝３０とが接触しており、前記環状接触点４６と前記環状通電溝３０との間には第二電線４８が連結されている。
【００１５】
以下、図１〜３を参照して本出願の前記上蓋吸着装置９１を詳しく説明し、前記回転チャンバ２６には第一環状磁性リング３６が上下に対称的に設けられ、前記第一環状磁性リング３６と前記矩形磁石３８とが引き合い、頂端の前記第一環状磁性リング３６の左側には仕切り板２９が固定的に設けられ、前記固定ブロック３７の外表面には第二環状磁性リング４７が左右に対称的に設けられ、前記本体１０の頂端には内ネジ山３４が設けられ、前記内ネジ山３４の外には外ネジ山３３によって頂蓋３５を取り付けることができ、前記頂蓋３５が前記円柱空きチャンバ１１の中に伸びており、前記リングギヤ１５の底面には円形磁石３２が固定的に設けられ、前記円形磁石３２の磁力は前記第二環状磁性リング４７の磁力より大きい。
【００１６】
有益的には、図１に示したように、前記スタンド挟み装置９０は前記スライドチャンバ２２を含み、前記スライドチャンバ２２の底端には第二スライド溝２４が連通するように設けられ、前記第二スライド溝２４の中には第二スライドブロック２５が左右に対称的に、且つスライド可能に設けられ、前記第二スライドブロック２５と前記第二スライド溝２４の端面との間には第三バネ２３が固定的に連結されている。
【００１７】
以下、図１〜３と上記に説明した本出願の缶蓋収集缶切りの具体的な構成とを参照し、缶蓋収集缶切りの使用方法を説明する：
【００１８】
まず、初期状態では、本体１０とスタンド１９とが離れており、二つの第二スライドブロック２５が互いに接触しており、第一電線３１の中が通電されている。
【００１９】
缶詰を開ける時、第二スライドブロック２５を互いに離れさせ、そして缶詰を第二スライド溝２４に置き、第二スライドブロック２５が缶詰を挟んだ後に、本体１０をスライド円環２０の上端に置く。
【００２０】
本体１０が取り付けられた後、第二環状磁性リング４７は缶蓋を吸着し、本体１０とスタンド１９とがくっつき、そして手で頂部蓋３５を下へ押し、第一刃４４が缶蓋を貫き、電磁石４５を始動し、電磁石４５が互いに退け合って離れ、第一刃４４が外へスライドし缶詰のカール部と接触し、缶詰の頂蓋の縁部に至る。
【００２１】
前記第二回転円環１４を回し、第二回転円環１４が歯車１６を回転連動させ、歯車１６が第一回転円環１８を回転連動させ、第一回転円環１８が固定ブロック３７を水平に一周に回転連動させ、固定ブロック３７が第一刃４４を連動させて缶蓋を切らせ、一周に回転した後、缶蓋が完全に取られて第二環状磁性リング４７に吸着され、第二回転円環１４を続けて回し、第一回転円環１８が第一回転軸３９を続けて回転連動させ、矩形磁石３８が三百六十度に回転した後に仕切り板２９と接触し、仕切り板２９が矩形磁石３８を押し動かして百八十度に回転させ、矩形磁石３８が第一回転軸３９を回転連動させ、第一回転軸３９が固定ブロック３７を回転連動させ、固定ブロック３７が回転した後、取られた缶蓋が円形磁石３２の下端に位置し、円形磁石３２が切られた後の缶蓋を吸引し収集する。
【００２２】
円形磁石３２が収集した缶蓋が一定の数量に達すると、頂蓋３５を回することで全部の缶蓋を一気に取り出すことができる。
【００２３】
以上のように、本発明の缶蓋収集缶切りは操作が簡単で明白で、安全で信頼でき、効率が高く、切りが精確であり、同時に、本発明の装置はシンプルで上品であり、様々な場合に対応でき、実用性が強い。
【００２４】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175953.tif 000003
【図２】
2020175953.tif 000004
【図３】
2020175953.tif 000005
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
正面視で、スタンドを含み、前記スタンドの中には上方に開口したスライドチャンバが設けられ、前記スライドチャンバの中にはスライド円環がスライドできるように設けられ、前記スライド円環と前記スライドチャンバの底面とには第一バネが固定的に連結され、前記スライドチャンバの中にはスタンド挟み装置が設けられ、前記スライド円環の頂端に本体を取り付けることができ、前記本体の中には下方に開口した円柱空きチャンバが設けられ、前記円柱空きチャンバの頂端に上蓋吸着装置を取り付けることができ、前記円柱空きチャンバの外側には回転チャンバが連通するように設けられ、前記回転チャンバの中には第一回転円環が回転できるように設けられ、前記第一回転円環の環の中には第一回転軸が回転できるように設けられ、前記第一回転軸には固定ブロックが固定的に設けられ、前記固定ブロックの左端には矩形磁石が設けられ、前記矩形磁石が前記第一回転軸に固定されており、前記固定ブロックの中には第一スライド溝が設けられ、前記第一スライド溝には第一スライドブロックが左右に対称的にスライドできるように設けられ、前記第一スライドブロックの一側と前記第一スライド溝の端面との間には第二バネが固定的に連結され、前記第一スライドブロックのもう一端には電磁石が固定的に設けられ、前記固定ブロックの外表面には環状接触点が設けられ、前記環状接触点と前記電磁石とが接触しており、左側の前記第一スライド溝には下方に開口した第一連通溝が設けられ、右側の前記第一スライド溝には上方に開口した第二連通溝が設けられ、前記第一連通溝の中には前記第一スライドブロックと固定された第一刃がスライドできるように設けられ、前記第二連通溝の中には前記第一スライドブロックと固定された第二刃がスライドできるように設けられ、前記回転チャンバの外側には環状空きチャンバが連通するように設けられ、前記環状空きチャンバには第二回転軸が左右に対称的に回転できるように設けられ、前記第二回転軸には歯車が固定的に設けられ、前記環状空きチャンバの外側には第二回転円環が回転できるように設けられ、前記第二回転円環が前記本体の外側まで突き出ており、前記円柱空きチャンバの中には回転切り装置が設けられ、  
これにより、第二回転円環を回し、刃に缶蓋を切らせ、円形磁石が切られた後の缶蓋を吸引し収集し、
前記第一回転円環の外表面には環状リングギヤが固定的に設けられ、前記環状リングギヤと前記歯車とが噛合しており、前記第二回転円環の内側にはリングギヤが設けられ、前記リングギヤと前記歯車とが噛合しており、前記第一回転円環の外周には環状通電溝が設けられ、前記本体の右側には第一電線が設けられ、前記第一電線と前記環状通電溝とが接触しており、前記環状接触点と前記環状通電溝との間には第二電線が連結され、  
これにより、電磁石を始動した後に手動で第二回転円環を回し、第二回転円環が歯車により第一回転円環を回転連動させ、刃に缶蓋を切らせ、
前記回転チャンバには第一環状磁性リングが上下に対称的に設けられ、前記第一環状磁性リングと前記矩形磁石とが引き合い、頂端の前記第一環状磁性リングの左側には仕切り板が固定的に設けられ、前記固定ブロックの外表面には第二環状磁性リングが左右に対称的に設けられ、前記本体の頂端には内ネジ山が設けられ、前記内ネジ山の外には外ネジ山によって頂蓋を取り付けることができ、前記頂蓋が前記円柱空きチャンバの中に伸びており、前記頂蓋の底面には円形磁石が固定的に設けられ、前記円形磁石の磁力は前記第二環状磁性リングの磁力より大きく、  
前記スタンド挟み装置は前記スライドチャンバを含み、前記スライドチャンバの底端には第二スライド溝が連通するように設けられ、前記第二スライド溝の中には第二スライドブロックが左右に対称的に、且つスライド可能に設けられ、前記第二スライドブロックと前記第二スライド溝の端面との間には第三バネが固定的に連結され、  
これにより、第二スライドブロックを回し、缶詰を第二スライド溝の中に置いて挟み、そして本体をスライド円環の上端までスライドさせることを特徴とする缶蓋収集缶切り。
【手続補正２】
【補正対象書類名】明細書
【補正対象項目名】全文
【補正方法】変更
【補正の内容】
【発明の詳細な説明】
【技術分野】
【０００１】
本発明は生活用具分野を取り上げて、具体的には缶蓋収集缶切りである。  
【背景技術】
【０００２】
伝統的な缶切りは重くて使いにくく、手動で操作する時に手が直接に刃に近距離に接触する場合が多いため、傷つけられやすく、また一般的な自動缶切りは直接に缶詰の上部を切り、缶詰のカール部がなくなり、切られた缶詰も同じく手を傷つける危険性を持っており、また、切られた缶蓋は薄くて鋭く、缶蓋の材質は回収し利用する価値があり、従って、缶蓋収集缶切りを設計し上記の問題を解決する必要がある。  
【先行技術文献】
【特許文献】
【０００３】
【特許文献１】中国特許出願公開第１０６６７２８７５号明細書
【発明の概要】
【発明が解決しようとする課題】
【０００４】
本発明の目的は缶蓋収集缶切りを提供し、それは上記の現在の技術中の問題を解決できる。
【課題を解決するための手段】
【０００５】
本発明は以下の技術プランを通じて実現する：本発明の缶蓋収集缶切りは、スタンドを含み、前記スタンドの中には上方に開口したスライドチャンバが設けられ、前記スライドチャンバの中にはスライド円環がスライドできるように設けられ、前記スライド円環と前記スライドチャンバの底面とには第一バネが固定的に連結され、前記スライドチャンバの中にはスタンド挟み装置が設けられ、前記スライド円環の頂端に本体を取り付けることができ、前記本体の中には下方に開口した円柱空きチャンバが設けられ、前記円柱空きチャンバの頂端に上蓋吸着装置を取り付けることができ、前記円柱空きチャンバの外側には回転チャンバが連通するように設けられ、前記回転チャンバの中には第一回転円環が回転できるように設けられ、前記第一回転円環の環の中には第一回転軸が回転できるように設けられ、前記第一回転軸には固定ブロックが固定的に設けられ、前記固定ブロックの左端には矩形磁石が設けられ、前記矩形磁石が前記第一回転軸に固定されており、前記固定ブロックの中には第一スライド溝が設けられ、前記第一スライド溝には第一スライドブロックが左右に対称的にスライドできるように設けられ、前記第一スライドブロックの一側と前記第一スライド溝の端面との間には第二バネが固定的に連結され、前記第一スライドブロックのもう一端には電磁石が固定的に設けられ、前記固定ブロックの外表面には環状接触点が設けられ、前記環状接触点と前記電磁石とが接触しており、左側の前記第一スライド溝には下方に開口した第一連通溝が設けられ、右側の前記第一スライド溝には上方に開口した第二連通溝が設けられ、前記第一連通溝の中には前記第一スライドブロックと固定された第一刃がスライドできるように設けられ、前記第二連通溝の中には前記第一スライドブロックと固定された第二刃がスライドできるように設けられ、前記回転チャンバの外側には環状空きチャンバが連通するように設けられ、前記環状空きチャンバには第二回転軸が左右に対称的に回転できるように設けられ、前記第二回転軸には歯車が固定的に設けられ、前記環状空きチャンバの外側には第二回転円環が回転できるように設けられ、前記第二回転円環が前記本体の外側まで突き出ており、前記円柱空きチャンバの中には回転切り装置が設けられている。  
【０００６】
前記第一回転円環の外表面には環状リングギヤが固定的に設けられ、前記環状リングギヤと前記歯車とが噛合しており、前記第二回転円環の内側にはリングギヤが設けられ、前記リングギヤと前記歯車とが噛合しており、前記第一回転円環の外周には環状通電溝が設けられ、前記本体の右側には第一電線が設けられ、前記第一電線と前記環状通電溝とが接触しており、前記環状接触点と前記環状通電溝との間には第二電線が連結されている。  
【０００７】
前記回転チャンバには第一環状磁性リングが上下に対称的に設けられ、前記第一環状磁性リングと前記矩形磁石とが引き合い、頂端の前記第一環状磁性リングの左側には仕切り板が固定的に設けられ、前記固定ブロックの外表面には第二環状磁性リングが左右に対称的に設けられ、前記本体の頂端には内ネジ山が設けられ、前記内ネジ山の外には外ネジ山によって頂蓋を取り付けることができ、前記頂蓋が前記円柱空きチャンバの中に伸びており、前記頂蓋の底面には円形磁石が固定的に設けられ、前記円形磁石の磁力は前記第二環状磁性リングの磁力より大きい。  
【０００８】
有益的には、図に示したように、前記スタンド挟み装置は前記スライドチャンバを含み、前記スライドチャンバの底端には第二スライド溝が連通するように設けられ、前記第二スライド溝の中には第二スライドブロックが左右に対称的に、且つスライド可能に設けられ、前記第二スライドブロックと前記第二スライド溝の端面との間には第三バネが固定的に連結されている。  
【発明の効果】
【０００９】
本発明の缶蓋収集缶切りは操作が簡単で明白で、安全で信頼でき、効率が高く、切りが精確であり、同時に、本発明の装置はシンプルで上品であり、様々な場合に対応でき、実用性が強い。  
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明の缶蓋収集缶切りの全体構成略図
【図２】図２は図１のＡ―Ａの拡大構成略図
【図３】図３は図１のＢの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。  
【００１３】
図１〜３に示すように、本発明の缶蓋収集缶切りは、スタンド１９を含み、前記スタンド１９の中には上方に開口したスライドチャンバ２２が設けられ、前記スライドチャンバ２２の中にはスライド円環２０がスライドできるように設けられ、前記スライド円環２０と前記スライドチャンバ２２の底面とには第一バネ２１が固定的に連結され、前記スライドチャンバ２２の中にはスタンド挟み装置９０が設けられ、前記スライド円環２０の頂端に本体１０を取り付けることができ、前記本体１０の中には下方に開口した円柱空きチャンバ１１が設けられ、前記円柱空きチャンバ１１の頂端に上蓋吸着装置９１を取り付けることができ、前記円柱空きチャンバ１１の外側には回転チャンバ２６が連通するように設けられ、前記回転チャンバ２６の中には第一回転円環１８が回転できるように設けられ、前記第一回転円環１８の環の中には第一回転軸３９が回転できるように設けられ、前記第一回転軸３９には固定ブロック３７が固定的に設けられ、前記固定ブロック３７の左端には矩形磁石３８が設けられ、前記矩形磁石３８が前記第一回転軸３９に固定されており、前記固定ブロック３７の中には第一スライド溝４１が設けられ、前記第一スライド溝４１には第一スライドブロック４２が左右に対称的にスライドできるように設けられ、前記第一スライドブロック４２の一側と前記第一スライド溝４１の端面との間には第二バネ４０が固定的に連結され、前記第一スライドブロック４２のもう一端には電磁石４５が固定的に設けられ、前記固定ブロック３７の外表面には環状接触点４６が設けられ、前記環状接触点４６と前記電磁石４５とが接触しており、左側の前記第一スライド溝４１には下方に開口した第一連通溝４３が設けられ、右側の前記第一スライド溝４１には上方に開口した第二連通溝２８が設けられ、前記第一連通溝４３の中には前記第一スライドブロック４２と固定された第一刃４４がスライドできるように設けられ、前記第二連通溝２８の中には前記第一スライドブロック４２と固定された第二刃２７がスライドできるように設けられ、前記回転チャンバ２６の外側には環状空きチャンバ１３が連通するように設けられ、前記環状空きチャンバ１３には第二回転軸１２が左右に対称的に回転できるように設けられ、前記第二回転軸１２には歯車１６が固定的に設けられ、前記環状空きチャンバ１３の外側には第二回転円環１４が回転できるように設けられ、前記第二回転円環１４が前記本体１０の外側まで突き出ており、前記円柱空きチャンバ１１の中には回転切り装置９２が設けられている。  
【００１４】
以下、前記回転切り装置９２を実現する具体的な実現方式を説明し、前記第一回転円環１８の外表面には環状リングギヤ１７が固定的に設けられ、前記環状リングギヤ１７と前記歯車１６とが噛合しており、前記第二回転円環１４の内側にはリングギヤ１５が設けられ、前記リングギヤ１５と前記歯車１６とが噛合しており、前記第一回転円環１８の外周には環状通電溝３０が設けられ、前記本体１０の右側には第一電線３１が設けられ、前記第一電線３１と前記環状通電溝３０とが接触しており、前記環状接触点４６と前記環状通電溝３０との間には第二電線４８が連結されている。  
【００１５】
以下、図１〜３を参照して本出願の前記上蓋吸着装置９１を詳しく説明し、前記回転チャンバ２６には第一環状磁性リング３６が上下に対称的に設けられ、前記第一環状磁性リング３６と前記矩形磁石３８とが引き合い、頂端の前記第一環状磁性リング３６の左側には仕切り板２９が固定的に設けられ、前記固定ブロック３７の外表面には第二環状磁性リング４７が左右に対称的に設けられ、前記本体１０の頂端には内ネジ山３４が設けられ、前記内ネジ山３４の外には外ネジ山３３によって頂蓋３５を取り付けることができ、前記頂蓋３５が前記円柱空きチャンバ１１の中に伸びており、前記頂蓋３５の底面には円形磁石３２が固定的に設けられ、前記円形磁石３２の磁力は前記第二環状磁性リング４７の磁力より大きい。  
【００１６】
有益的には、図１に示したように、前記スタンド挟み装置９０は前記スライドチャンバ２２を含み、前記スライドチャンバ２２の底端には第二スライド溝２４が連通するように設けられ、前記第二スライド溝２４の中には第二スライドブロック２５が左右に対称的に、且つスライド可能に設けられ、前記第二スライドブロック２５と前記第二スライド溝２４の端面との間には第三バネ２３が固定的に連結されている。  
【００１７】
以下、図１〜３と上記に説明した本出願の缶蓋収集缶切りの具体的な構成とを参照し、缶蓋収集缶切りの使用方法を説明する：  
【００１８】
まず、初期状態では、本体１０とスタンド１９とが離れており、二つの第二スライドブロック２５が互いに接触しており、第一電線３１の中が通電されている。  
【００１９】
缶詰を開ける時、第二スライドブロック２５を互いに離れさせ、そして缶詰を第二スライド溝２４に置き、第二スライドブロック２５が缶詰を挟んだ後に、本体１０をスライド円環２０の上端に置く。  
【００２０】
本体１０が取り付けられた後、第二環状磁性リング４７は缶蓋を吸着し、本体１０とスタンド１９とがくっつき、そして手で頂部蓋３５を下へ押し、第一刃４４が缶蓋を貫き、電磁石４５を始動し、電磁石４５が互いに退け合って離れ、第一刃４４が外へスライドし缶詰のカール部と接触し、缶詰の頂蓋の縁部に至る。  
【００２１】
前記第二回転円環１４を回し、第二回転円環１４が歯車１６を回転連動させ、歯車１６が第一回転円環１８を回転連動させ、第一回転円環１８が固定ブロック３７を水平に一周に回転連動させ、固定ブロック３７が第一刃４４を連動させて缶蓋を切らせ、一周に回転した後、缶蓋が完全に取られて第二環状磁性リング４７に吸着され、第二回転円環１４を続けて回し、第一回転円環１８が第一回転軸３９を続けて回転連動させ、矩形磁石３８が三百六十度に回転した後に仕切り板２９と接触し、仕切り板２９が矩形磁石３８を押し動かして百八十度に回転させ、矩形磁石３８が第一回転軸３９を回転連動させ、第一回転軸３９が固定ブロック３７を回転連動させ、固定ブロック３７が回転した後、取られた缶蓋が円形磁石３２の下端に位置し、円形磁石３２が切られた後の缶蓋を吸引し収集する。  
【００２２】
円形磁石３２が収集した缶蓋が一定の数量に達すると、頂蓋３５を回することで全部の缶蓋を一気に取り出すことができる。  
【００２３】
以上のように、本発明の缶蓋収集缶切りは操作が簡単で明白で、安全で信頼でき、効率が高く、切りが精確であり、同時に、本発明の装置はシンプルで上品であり、様々な場合に対応でき、実用性が強い。  
【００２４】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。